(57)【要約】【課題】固定符号タイプと自由符号タイプとの変更が可能な符号錠装置を提供する【解決手段】符号錠装置は、複数個のダイヤル４と、軸方向へ往復動可能な作動軸３と、アクチュエータ２と、アクチュエータ２の筒状体２１の回動に応動して作動軸３を往復移動させる往復動機構６と、作動軸３上に設けられ作動軸３の移動によって各ダイヤル４と係合するダイヤル毎のロックギヤ５と、自由符号タイプと固定符号タイプとを切り換えるための切換機構８とを備える。切換機構８は、回動可能な切換シャフト８０と、切換シャフト８０の回動に応じて偏心回動する押圧部材８７を備えた駆動筒８２と、圧縮バネ３６とを含み、押圧部材８７の偏心回動に応じた作動軸３の軸方向に沿う変位を前部ブッシュ３０を介して作動軸３に伝達して作動軸３を往動方向または復動方向に変位させた状態に設定する。【選択図】図２６
2008190214.tif 000002
【特許請求の範囲】
【請求項１】
周面に複数の符号が表された複数個のダイヤルと、各ダイヤルを決められた位置で回動可能に支持する軸方向へ往復動可能な作動軸と、解錠操作および施錠操作に応動して回動する筒状体を有するアクチュエータと、前記筒状体と前記作動軸との間に設けられ筒状体の正逆回動に応動して作動軸を往復移動させる往復動機構と、前記作動軸上の各ダイヤルの位置に対応して設けられるロックギヤを有し施錠操作に応動した前記作動軸の往動により全てのロックギヤを各ダイヤルに係合させて解錠符号列を記憶させかつ解錠操作に応動した前記作動軸の復動により全てのロックギヤと各ダイヤルとの係合を解いて解錠符号列の記憶を解除する一時記憶機構と、各ダイヤルの符号が解錠符号列を構成する整列状態にあるときアクチュエータの作動を許容し整列状態にないときアクチュエータの作動を規制するロック機構とを備えた符号錠装置において、
前記解錠操作毎に解錠符号列の記憶を解除する前記一時記憶機構による第１の記憶方式と、解錠操作に対して前記作動軸を往動方向へ変位させた状態に保持することにより全てのロックギヤと各ダイヤルとの係合を解かずに解錠符号列の記憶を保持する第２の記憶方式とを切り換える切換機構を備えており、
前記切換機構は、外部操作が可能に設けられる切換つまみと、前記切換つまみと前記作動軸との間に設けられ切換つまみによる前記第２の記憶方式に設定する操作に応動して作動軸を往動方向へ変位させた状態に設定し切換つまみによる前記第１の記憶方式に設定する操作に応動して作動軸を復動方向へ復帰させた状態に設定する駆動機構とを含んで成る符号錠装置。
【請求項２】
前記切換機構は、一端部が回動操作の可能な切換つまみになっている回動可能な切換シャフトと、偏心回動するカム軸を有し前記切換シャフトの正逆回動に応動して前記カム軸の偏心回動に応じた作動軸の軸方向に沿う変位を得る駆動機構と、前記作動軸に設けられ前記駆動機構により得られた作動軸の軸方向に沿う変位を作動軸に伝達するブッシュとを含んで成る請求項１に記載された符号錠装置。
【請求項３】
前記往復動機構は、前記筒状体の外周面に形成される凹凸カム面と、作動軸の一端が筒状体の凹凸カム面に当接するように作動軸を押圧するばね部材とを含んで成る請求項１に記載された符号錠装置。
【発明の詳細な説明】
【技術分野】
【０００１】
この発明は、各種のロッカーやキャビネットなどに用いられる符号錠装置に関し、特にこの発明は、解錠操作毎に解錠符号列の記憶を解除して、使用者が解錠符号列をその都度、自由に設定することを可能とした自由符号タイプと、解錠操作があっても解錠符号列の記憶を保持して、解錠符号列を固定的に設定する固定符号タイプとを選択して設定しかつ切り換えることが可能な符号錠装置に関する。
【背景技術】
【０００２】
従来の符号錠装置には、使用者が使用に際して解錠符号列を自由に設定することが可能な自由符号タイプのものがある（例えば、特許文献１参照。）。
ここで、「解錠符号列」とは、符号錠装置を解錠にするための各ダイヤルの符号の並びをいう。例えば、４個のダイヤルをもつ符号錠装置であってダイヤルの符号が「０」〜「９」の数字で構成されている場合、解錠符号列は４桁の数字になる。なお、以下の説明において、解錠符号列を構成する各ダイヤルの符号を、単に解錠符号という。
【０００３】
この種の符号錠装置は、施錠に際し、使用者がダイヤル操作により好みの解錠符号列を設定して整列させた後、撮みを掴んで回動操作することにより、撮みの操作と連動した掛止片が扉側の受け金具に係合するもので、その後、ダイヤル操作により解錠符号列を適当に崩すと、施錠状態となる。
解錠に際しては、ダイヤル操作により設定した解錠符号列を整列させた後、撮みや鍵を掴んで前記と反対方向へ回動操作する。これにより掛止片が扉側の受け金具より外れ、ロッカーなどの扉の開放が可能となる。
【０００４】
上記の自由符号タイプのものは、使用者が常に変わるような用途、すなわち、不特定人が使用する用途に用いられている。これに対し、従来の符号錠装置には、装置毎に解錠符号列が固定的に設定されている固定符号タイプのものもある。固定符号タイプのものは、予め解錠符号列を設定して記憶させてあり、使用者は解錠符号列を自由に変更できないため、使用者が常に変わるような用途には不向きであり、特定人が使用する用途に用いられている。
【０００５】
【特許文献１】特開平９−３１７２７１号公報
【発明の開示】
【発明が解決しようとする課題】
【０００６】
しかし、上記した自由符号タイプのものと固定符合タイプのものとを、切換操作によって使い分けできるようにした符号錠装置はこれまで製品化されておらず、そのため、メーカーではユーザーからの発注に備えて自由符号タイプのものと固定符号タイプのものとをそれぞれ別個に製作して在庫しておく必要があり、在庫管理が煩雑となるという問題があった。また、符号錠装置が組み込まれたロッカーなどを用途に対応させるために、いったん組み込まれた符号錠装置を別タイプのものと取り替えることが必要となり面倒である。
【０００７】
この発明は、上記した問題に着目してなされたもので、１つの装置で自由符号タイプと固定符号タイプとの変更が可能であって、しかも、構造が簡易でありかつ錠全体が小型である符号錠装置を提供することを目的とする。
【課題を解決するための手段】
【０００８】
この発明による符号錠装置は、周面に複数の符号が表された複数個のダイヤルと、各ダイヤルを決められた位置で回動可能に支持する軸方向へ往復動可能な作動軸と、解錠操作および施錠操作に応動して回動する筒状体を有するアクチュエータと、前記筒状体と前記作動軸との間に設けられ筒状体の正逆回動に応動して作動軸を往復移動させる往復動機構と、前記作動軸上の各ダイヤルの位置に対応して設けられるロックギヤを有し施錠操作に応動した前記作動軸の往動により全てのロックギヤを各ダイヤルに係合させて解錠符号列を記憶させかつ解錠操作に応動した前記作動軸の復動により全てのロックギヤと各ダイヤルとの係合を解いて解錠符号列の記憶を解除する一時記憶機構と、各ダイヤルの符号が解錠符号列を構成する整列状態にあるときアクチュエータの作動を許容し整列状態にないときアクチュエータの作動を規制するロック機構とを備えたものであり、前記解錠操作毎に解錠符号列の記憶を解除する前記一時記憶機構による第１の記憶方式と、解錠操作に対して前記作動軸を往動方向へ変位させた状態に保持することにより全てのロックギヤと各ダイヤルとの係合を解かずに解錠符号列の記憶を保持する第２の記憶方式とを切り換える切換機構をさらに備えている。前記切換機構は、外部操作が可能に設けられる切換つまみと、前記切換つまみと前記作動軸との間に設けられ切換つまみによる前記第２の記憶方式に設定する操作に応動して作動軸を往動方向へ変位させた状態に設定し切換つまみによる前記第１の記憶方式に設定する操作に応動して作動軸を復動方向へ復帰させた状態に設定する駆動機構とを含んでいる。
【０００９】
上記した構成の符号錠装置において、第１の記憶方式では、施錠に際して、各ダイヤルを回して解錠符号列を設定する。解錠状態では、各ロックギヤと各ダイヤルとは噛み合っていないので、各ダイヤルは単独で回動し、使用者は任意の解錠符号列の設定操作が可能である。解錠符号列を設定した後、施錠操作を行うと、アクチュエータの筒状体が応動して回動し、これに連動して作動軸が往動方向に変位し、各ロックギヤと各ダイヤルとが噛み合い、解錠符号列が記憶される。
【００１０】
解錠に際しては、各ダイヤルを回して解錠符号列を揃える。施錠状態では、各ロックギヤと各ダイヤルとは噛み合っているので、各ダイヤルはロックギヤと一体に回動する。各ダイヤルの符号が解錠符号列に揃えられると、アクチュエータの作動が許容されるが、揃っていなければ、アクチュエータの作動が規制される。
解錠符号列を揃えた後、解錠操作を行うと、アクチュエータの筒状体が応動して回動し、これに連動して作動軸が復動方向に変位して、各ロックギヤと各ダイヤルとの噛み合いが外れた状態となり、解錠符号列の記憶が解除される。
【００１１】
第２の記憶方式に変更するには、切換つまみを操作して駆動機構を応動させ作動軸を往動方向へ強制変位させる。作動軸が往動方向へ変位すると、各ロックギヤは各ダイヤルと噛み合って係わり合い、解錠符号列が記憶される。この第２の記憶方式では、作動軸を往動方向へ変位させたままの状態、すなわち、各ダイヤルと各ロックギヤとが噛み合った状態に維持されるため、解錠操作があっても解錠符号列の記憶が保持される。
【００１２】
次に、切換つまみにより第２の記憶方式から第１の記憶方式に変更する場合、切換つまみによる操作に応動して駆動機構が作動軸を復動方向へ復帰させる。作動軸が復動方向へ変位すると、各ロックギヤは、各ダイヤルから離れて各ダイヤルとの噛み合いが外れるため、解錠符号列の記億の保持が解除された第１の記憶方式に切り換わる。
【００１３】
この発明の好ましい一実施態様においては、前記切換機構は、一端部が回動操作の可能な切換つまみになっている回動可能な切換シャフトと、偏心回動するカム軸を有し前記切換シャフトの正逆回動に応動して前記カム軸の偏心回動に応じた作動軸の軸方向に沿う変位を得る駆動機構と、前記作動軸に設けられ前記駆動機構により得られた作動軸の軸方向に沿う変位を作動軸に伝達するブッシュとを含んでいる。
この実施態様によると、切換シャフトの回動操作に応動してカム軸が偏心回動し、この偏心回動に応じた作動軸の軸方向に沿う変位がブッシュを介して作動軸に伝わり、作動軸を往復動方向へ強制変位させる。
【００１４】
この発明の好ましい一実施態様においては、前記往復動機構は、前記筒状体の外周面に形成される凹凸カム面と、作動軸の一端が筒状体の凹凸カム面に当接するように作動軸を押圧するばね部材とを含んでいる。
この実施態様によると、作動軸の一端部が筒状体の凹凸カム面の凹面に嵌入するとき、作動軸がばね部材の付勢力により復動方向へ変位することで各ロックギヤと各ダイヤルとの係合が解かれる状態が形成される。一方、作動軸の一端部が筒状体の凹凸カム面の凸面に乗り上がるとき、作動軸がばね部材の付勢力に抗して前記とは逆の往動方向に変位することで各ロックギヤが各ダイヤルに係合した状態が形成される。
【発明の効果】
【００１５】
この発明によると、解錠符号列を自由に設定できる自由符号タイプと解錠符号列が固定的に設定される固定符号タイプとを切り換えることができるように構成したから、特定人の使用や不特定人の使用など、用途に応じた使い分けをすることができ、利便性が大幅に向上する。また、両方のタイプの符号錠装置を別々に製作して在庫する必要がないので、在庫管理が容易である。さらに、切換つまみによる操作によって、自由符号タイプと固定符号タイプとを切換可能としたから、構造の複雑化と大型化とを招くおそれもない。
【発明を実施するための最良の形態】
【００１６】
図１および図２は、この発明の一実施例である符号錠装置の外観を示す。この符号錠装置は、例えば、貸しロッカーなどの扉に取り付けられる。施錠および解錠に際して、図１に示す掛止片１が９０度の角度範囲で正逆回動し、ロッカー本体に取り付けられた受け金具１０に係脱する。
【００１７】
なお、以下の説明において、掛止片１が受け金具１０に係合した状態を「閉状態」、この「閉状態」がロック保持されている状態を「施錠状態」、ロック解除された状態を「解錠状態」、掛止片１が受け金具１０より外れた状態を「開状態」という。また「開状態」から「施錠状態」へ至る人手による操作を「施錠操作」、「閉状態」から「解錠状態」を経て「開状態」へ至る人手による操作を「解錠操作」という。
【００１８】
図示例の符号錠装置は、解錠操作毎に解錠符号列の記憶を解除して、解錠符号列をその都度、自由に設定することができるようにした第１の記憶方式（以下、「自由符号タイプ」という。）と、解錠操作があっても解錠符号列の記憶を保持して、解錠符号列を固定するようにした第２の記憶方式（以下、「固定符号タイプ」という。）とを切り換えることが可能である。
【００１９】
図１において、１１は箱状ケース１２の上面開口を塞ぐ前面プレートであって、板面の一端部寄りに円形の開口部１３が、中央部から他端部にかけて４個の窓孔１４が、それぞれ設けてある。
前記開口部１３の位置には撮み２０による施錠および解錠の各操作に応動するアクチュエータ２が、４個の窓孔１４の位置には解錠符号列を整列させるためのダイヤル機構が、それぞれ組み込まれている。撮み２０は開口部１３より前面プレート１１上へ突出している。各窓孔１４には、前面プレート１１上に４個のダイヤル４のダイヤル操作面４２が突出している。ダイヤル操作面４２には「０」〜「９」の１０個の符号４３が表されている。
【００２０】
また、図２において、８０は自由符号タイプと固定符号タイプとを切り換える切換機構８を構成する切換シャフトである。切換シャフト８０の一端部は回動操作が可能な切換つまみ８８を構成しており、この切換つまみ８８を箱状ケース１２の裏面に設けられた小孔１８から露出させている。切換つまみ８８の端面には操作溝８１が設けられており、この操作溝８１にドライバーなどを挿入して正逆回動することにより上記したような方式の切換を行う。
【００２１】
図３〜図１６には、箱状ケース１２の内部構造が施錠および解錠の各操作時の構成各部の動きとともに示してある。図示例の符号錠装置は、施錠・解錠や解錠符号列の記憶を可能とするために、アクチュエータ２，作動軸３，４個のダイヤル４，４個のロックギヤ５，解錠符号列の一時記憶機構６，往復動機構７，ロック機構９などの主要構成を含むとともに、上記した自由符号タイプと固定符号タイプとを切換可能とするための切換機構８を含んでいる。また、付加的構成として、ダイヤル間欠送り機構１９なども具備している。
【００２２】
なお、図３〜図１６において、図３，５，７，９，１１，１３，１５は符号錠装置の構成を示す前面プレート１１の側より見た断面図であり、図４，６，８，１０，１２，１４，１６はそれぞれ図３，５，７，９，１１，１３，１５のａ方向より見た断面図である。
また、図３〜図１０は、解錠符号列を自由に設定することができる「自由符号タイプ」における構成を、図１１〜図１６は解錠符号列が固定的に設定される「固定符号タイプ」の構成を、それぞれ示している。
【００２３】
（１）アクチュエータ２の構成
アクチュエータ２は、解錠操作および施錠操作に応動するもので、支持板１５で区画された一方の空間Ａ内に筒状体２１が回動可能に支持されて成る。筒状体２１の上端には前記撮み２０が取り付けられ、この撮み２０を撮んで正逆いずれかの方向へ回動操作すると、筒状体２１が一体に回動する。
【００２４】
この実施例では、内筒２１ａと外筒２１ｂとで筒状体２１を構成するとともに、内筒２１ａの内部の外筒２１ｂとの間に複数のディスクタンブラーより成るシリンダー錠の機構が組み込まれている。ディスクタンブラーは、外筒２１ｂに対する内筒２１ａの回動を規制するためのもので、撮み２０に設けられた鍵孔２９より内筒２１ａ内へマスター鍵が挿入されていない状態では、ディスクタンブラーが内筒２１ａと外筒２１ｂとの間に介在して内筒２１ａと外筒２１ｂとが係合した状態にある。マスター鍵が挿入された状態では、全てのディスクタンブラーが内筒２１ａ内に退避することで内筒２１ａと外筒２１ｂとの係合が外れ、外筒２１ｂ内で内筒２１ａが回動可能な状態となる。
この実施例によると、解錠符号列が忘れられたときなどに、内筒２１ａ内へマスター鍵を挿入すると、内筒２１ａと外筒２１ｂとの係わりが切れて、内筒２１ａのみを回動操作することができ、これにより解錠操作が可能となる。
なお、このような構成のシリンダー錠はすでに公知であって、ここでは錠機構についての詳細な説明は省略する。
【００２５】
筒状体２１を構成する内筒２１ａには、取付軸２２を介して前記掛止片１が取り付けられている。撮み２０の操作により筒状体２１を回動すると、掛止片１が筒状体２１と一体に９０度の角度範囲だけ正逆回動する。
筒状体２１を構成する外筒２１ｂの外周面には、筒状体２１が「開状態」の角度位置にあるときに作動軸３の方向を向く凹面２３と、筒状体２１が「開状態」または「閉状態」の角度位置にあるときに後述するロックプレート９０の規制片９２の方向を向く２つの係合部２５，２６とが設けてある。凹面２３は、作動軸３の先端に取り付けられた後述する前部ブッシュ３０が一体で嵌まる大きさに形成されており、外筒２１ｂの外周面を凸面２４とする凹凸カム面を構成する。この凹凸カム面は後述する往復動機構７を、前記の係合部２５，２６は後述するロック機構９を、それぞれ構成する。
【００２６】
（２）作動軸３の構成
作動軸３は、アクチュエータ２と直交する方向に水平に設けられ、作動軸３の先端部には前部ブッシュ３０が嵌められている。前部ブッシュ３０は支持板１５に開設された軸受孔（図示せず）に支持され、作動軸３の基端部は軸受１６に支持されている。作動軸３はアクチュエータ２と直交する水平方向に往復動可能である。
作動軸３の軸周面には、一定間隔毎に５枚のリング状の仕切板３１〜３５がそれぞれ一体に装着されるとともに、隣り合う仕切板間に合成樹脂製の中間ブッシュ５４が嵌められている。作動軸３の基端部寄りの仕切板３５と軸受１６との間には圧縮バネ３６が配備され、そのバネ圧によって作動軸３を常時、アクチュエータ２の方向へ付勢している。前記圧縮バネ３６は、後述する往復動機構７を構成している。
【００２７】
前記前部ブッシュ３０は、図１７および図１８に示すように、後面が開放された合成樹脂製の筒状部材であり、前部ブッシュ３０の後面には、作動軸３と一体の仕切板３１の外形に適合する形状および大きさの凹溝３７が形成されている。前部ブッシュ３０は、長さ方向に貫通する支持孔３８を有し、作動軸３の先端部が前記支持孔３８に嵌め込まれている。
なお、図中、３９は切換機構８を構成する押圧部材８７により押圧を受ける当たり面であり、詳細は後述するが、押圧部材８７が当たり面３９を押して前部ブッシュ３０をアクチュエータ２に対して反対方向へ強制移動させる。
【００２８】
（３）ダイヤル４とロックギヤ５の構成
４個の各ダイヤル４は、作動軸３上の決められた等間隔位置にそれぞれロックギヤ５を介して回動可能に支持されている。各ダイヤル４は、図１９〜図２１に示すように、ダイヤル本体４０の外周面の等角度位置毎に「０」〜「９」の符号４３が表され、ダイヤル操作面４２が構成されている。また、ダイヤル本体４０の側面には、ダイヤル間欠送り機構１９を構成するボス部４４が一体に設けられている。
【００２９】
前記ボス部４４の外周縁には符号数に相当する数（１０個）の谷部４５が形成されており、各ダイヤル４のボス部４４と対応させて設けられるＵ字形状のばね部材１７とともにダイヤル間欠送り機構１９を構成している。ダイヤル間欠送り機構１９は、各ダイヤル４の回動操作に対してダイヤル４を符号の配列角度ずつ間欠送りして前面プレート１１の窓孔１４に「０」〜「９」の各符号を順次定位させるものである。
前記の各ばね部材１７は、基端が適所に固定され、その先端部には一対の押圧部１７Ａ，１７Ｂが構成されている。押圧部１７Ａ，１７Ｂはボス部４４の外周縁にそれぞれ押し当てられており、ダイヤル４の自由回動が規制されている。ダイヤル４のダイヤル操作面４２を手操作してダイヤル４を回すと、前記ばね部材１７の各押圧部１７Ａ，１７Ｂがボス部４４の各谷部４５と順次係合することにより、ダイヤル４が所定の回動角度位置に順次止まり、前面プレート１１の窓孔１４に「０」〜「９」の符号が順次出現する。
【００３０】
各ロックギヤ５は、作動軸３上の各仕切板３１〜３５の内側位置に、隣り合うロックギヤ５と互いに当接するとともに、前記中間ブッシュ５４を介してそれぞれが回動可能に支持されている。各ダイヤル４のダイヤル本体４０の内周面には、符号数に一致する数（１０個）の嵌合溝４６が等角度間隔で一周配置して成る溝列４１が形成されている（図１９）。一方、各ロックギヤ５の前端部の外周面には、ダイヤル４の嵌合溝４６と嵌合可能な嵌合突子５１が等角度間隔で符号数に一致する数（１０個）だけ一周配置されて成る突子列５０が形成されている（図２２〜図２５）。
【００３１】
ロックギヤ５がダイヤル４に向けて移動して、ロックギヤ５の各嵌合突子５１とダイヤル４の各嵌合溝４６とが噛み合ったとき、ダイヤル４とロックギヤ５とが結合して一体回動が可能となる。これに対して、ロックギヤ５がダイヤル４から離れてロックギヤ５の各嵌合突子５１とダイヤル４の各嵌合溝４６との噛み合いが外れたとき、ダイヤル４はロックギヤ５との係わりが切れ、単独で回動可能となる。
【００３２】
また、各ロックギヤ５の後端部の外周面には凹部５２が形成されており（図２３，図２５）、この凹部５２は後述するロック機構８を構成している。凹部５２は、後述するロック機構９を構成する検出片９１の先端部９１ａが嵌まる大きさに形成されており、各ロックギヤ５は、ロックギヤ５がダイヤル４から離れて係わりが切れている状態（解錠符号列の設定操作が可能な状態）では、この凹部５２が常時、同じ回動角度位置に定位するものである。
【００３３】
（４）解錠符号列の一時記憶機構６の構成
解錠符号列の一時記憶機構６は、解錠符号列を自由に設定しかつ記憶させるための機構である。この一時記憶機構６は、各ダイヤル４と各ロックギヤ５とを上記した噛合部を介していずれかの嵌合角度位置で噛み合わせることにより解錠符号列を一時記憶させるものである。
ロックギヤ５に対するダイヤル４の嵌合角度位置、すなわちロックギヤ５の突子列５０とダイヤル本体４０の溝列４１との噛み合い角度位置は、符号数に一致する数だけ存在するもので、従って、両者の噛み合い角度位置に応じて解錠符号を１０とおり記憶することが可能である。
【００３４】
この実施例での解錠符号列の一時記憶機構６は、各ダイヤル４のダイヤル本体４０の内周面に形成された前記溝列４１と、各ロックギヤ５の前端部の外周面に形成された突子列５０と、解錠符号列の設定操作が可能な状態、すなわち、ロックギヤ５とダイヤル４との係わりが切れた状態と、解錠符号列が記憶された状態、すなわち、ロックギヤ５とダイヤル４とが係わった状態とを形成するための往復動機構７とで構成される。
【００３５】
前記往復動機構７は、前記アクチュエータ２の作動に応動して作動軸３を所定のタイミングで所定の変位量だけ往復移行させることにより、全てのロックギヤ５を一斉に往復変位させる機構であり、筒状体２１の外筒２１ｂの外周面に形成された前記凹凸カム面と、作動軸３の先端部分に嵌められた前部ブッシュ３０と、作動軸３をアクチュエータ２の方向へ付勢する圧縮バネ３６とを含む。前部ブッシュ３０は、圧縮バネ３６の付勢力によりその先端部が筒状体２１の外筒２１ｂの外周面に当接し、その後端部は先頭のロックギヤ５に当接する。各ロックギヤ５は、作動軸３の各仕切板３１〜３５の内側位置にそれぞれ配備されており、各ロックギヤ５の後端面に形成されたリング溝５３（図２３，図２４）に作動軸３の仕切板３２〜３５がそれぞれ嵌合する。
【００３６】
図３および図４に示す「自由符号タイプ」の「開状態」のときは、外筒２１ｂの凹面２３が作動軸３の方向に対応位置する。作動軸３は圧縮バネ３６のバネ力により押され、前部ブッシュ３０の先端部が外筒２１ｂの凹面２３へ嵌入している。この嵌入状態のとき、作動軸３はアクチュエータ２の側へ変位している。作動軸３がアクチュエータ２側へ変位すると、各ロックギヤ５は、その後端部が作動軸３の各仕切板３２〜３５によりそれぞれ押されることにより、アクチュエータ２の側へ一斉に変位する。
【００３７】
図５および図６には、「自由符号タイプ」の「開状態」から「閉状態」へ移行するときの状態が示してある。この状態では、前部ブッシュ３０の先端部は外筒２１ｂの外周面の凸面２４に乗り上がっている。この乗り上がった状態のとき、作動軸３は前部ブッシュ３０を介して圧縮バネ３６のバネ力に抗して押され、アクチュエータ２に対して反対方向へ変位している。また、前部ブッシュ３０の後端部により先頭のロックギヤ５が押され、これと連なった他のロックギヤ５も押されることにより、全てのロックギヤ５が一斉にアクチュエータ２に対して反対方向へ変位する。
【００３８】
図７および図８に示す「自由符号タイプ」の「閉状態」のときは、前部ブッシュ３０の先端部は外筒２１ｂの凸面２４に乗り上がった状態のままであり、各ロックギヤ５はアクチュエータ２に対して反対方向へ変位した状態を維持している。
【００３９】
次に、解錠符号列を設定しかつ一時記憶させるための動作について説明する。
「自由符号タイプ」の「開状態」（図３および図４に示す。）のときは、各ロックギヤ５はアクチュエータ２の側へ変位した状態にあるので、各ダイヤル本体４０の嵌合溝４６と各ロックギヤ５の嵌合突子５１とは噛み合っておらず、各ダイヤル４と各ロックギヤ５との係わりは切れている。これにより、「開状態」のときの各ダイヤル４は、それ単独で回動することが可能な状態にあり、任意の解錠符号を設定できる。
【００４０】
撮み２０を回して「開状態」から「閉状態」へ移行させる時（図５および図６に示す。）には、各ロックギヤ５はアクチュエータ２と反対側へ変位した状態にあり、各ダイヤル４の嵌合溝４６と各ロックギヤ５の嵌合突子５１とが噛み合って係わり合うので、設定された解錠符号列が記憶される。
「閉状態」（図７および図８に示す。）のときも、各ロックギヤ５はアクチュエータ２と反対側へ変位した状態に保持されており、各ダイヤル４の嵌合溝４６は各ロックギヤ５の嵌合突子５１と噛み合い、解錠符号列が記憶された状態が維持されている。
【００４１】
次に、各ダイヤル４を回して各ダイヤル４の符号を解錠符号列に揃えた後、解錠操作を行うと、筒状体２１が回動して外筒２１ｂの外周面の凹面２３が作動軸３の方向に対応位置する。これにより前部ブッシュ３０の先端部が外筒２１ｂの凹面２３へ嵌入し作動軸３は圧縮バネ３６のバネ力により押されてアクチュエータ２の側へ変位して各ロックギヤ５と各ダイヤル４との噛み合いが外れ、解錠符号列の記憶が解除される。
【００４２】
（５）切換機構８の構成
切換機構８は、上記した解錠操作毎に解錠符号列の記憶が解除される「自由符号タイプ」と、解錠操作があっても解錠符号列の記憶が保持される「固定符号タイプ」とを切り換えるためのものである。
このような切換動作を実現するための構成として、この実施例では、図２６に示すように、人手により操作される回動可能な切換シャフト８０と、前記前部ブッシュ３０と、作動軸３を往復変位させるための駆動筒８２とを含んでいる。
切換シャフト８０の一端部は、回動操作が可能な切換つまみ８８を構成しており、切換シャフト８０の他端部上には駆動筒８２が被せられるとともに、切換シャフト８０と駆動筒８２との間にはコイルバネ８３が設けられている。
【００４３】
前記コイルバネ８３は、駆動筒８２の内径よりも小さい圧縮型のバネである。このコイルバネ８３は、駆動筒８２から離れる方向に切換シャフト８０を付勢しており、コイルバネ８３の付勢力に抗して切換シャフト８０を駆動筒８２に向かって押し込み操作が可能であるように構成されている。
【００４４】
前記切換つまみ８８は、図２７〜図２９に示すように、切換シャフト８０の端面８０Ａに操作溝８１が設けられて成るもので、操作溝８１はコイルバネ８３の付勢力により箱状ケース１２の裏面に設けられた小孔１８（図２に示す。）から露出する。この操作溝８１にドライバーなどを挿入して切換つまみ８８を押し込むことにより、切換シャフト８０を正逆方向に１８０°回動操作が可能となる。
なお、図中、８４は回動防止用の突起であり、通常時は、この突起８４が前記小孔１８の開口縁に設けられた係合凹部１８Ａ，１８Ｂ（図２に示す。）と係合することにより切換シャフト８０の回動が防止される。
切換シャフト８０は、切換つまみ８８の反対側の端面８０Ｂより一対の凸壁８５Ａ，８５Ｂを突出させた形態のものであり、凸壁８５Ａ，８５Ｂ間に前記コイルバネ８３が嵌装されている。
【００４５】
前記駆動筒８２は、図３０〜図３２に示すように、外形が円筒状であり、切換シャフト８０と対向する底面８２Ａを有し、切換シャフト８０の凸壁８５Ａ，８５Ｂの外形に適合する形状の凸壁挿入溝８６，８６がほぼ全長にわたって形成されたものである。各凸壁挿入溝８６，８６には凸壁８５Ａ，８５Ｂが係合することにより切換シャフト８０と駆動筒８２とが結合して一体回動が可能になる。
【００４６】
駆動筒８２の上面８２Ｂには、駆動筒８２の正逆回動に応動して偏心回動する円柱状の押圧部材８７が突設されている。この押圧部材８７は、その周面が前部ブッシュ３０の当たり面３９と当接しており、前記圧縮バネ３６と協働して作動軸３を軸方向に往復変位させる駆動機構を構成している。押圧部材８７は、「自由符号タイプ」に設定された場合、図４，図６，図８，図１０に示すように、その中心位置が駆動筒８２の中心線から、アクチュエータ２の側へ最も変位した位置にある。また、切換シャフト８０の回動操作により駆動筒８２を１８０度回動させて「固定符号タイプ」に設定された場合、図１２，図１４，図１６に示すように、偏心回動によってアクチュエータ２に対して反対の側へ最も変位した位置にある。
【００４７】
次に、上記したような解錠操作毎に解錠符号列の記憶が解除される「自由符号タイプ」から解錠操作があっても解錠符号列の記憶が保持される「固定符号タイプ」に切り換えるための動作について説明する。
まず、「自由符号タイプ」において、「開状態」では図４および図２６（１）に示すように、駆動筒８２の押圧部材８７はアクチュエータ２の側へ変位した状態にあり、前部ブッシュ３０の当たり面３９に押圧部材８７が当接している。この状態では、各ダイヤル４と各ロックギヤ５とは噛み合っておらず、係わりが切れており、各ダイヤル４は任意の解錠符号を設定できる。
【００４８】
切換シャフト８０を駆動筒８２に向けて押し込んだ状態で切換シャフト８０と駆動筒８２とを一体に１８０度回動させると（図２６（２）に示す。）、押圧部材８７は前部ブッシュ３０の当たり面３９を押して前部ブッシュ３０をアクチュエータ２に対して反対方向へ強制移動させる（図２６（３）に示す。）。前部ブッシュ３０が移動すると、作動軸３が圧縮バネ３６のバネ力に抗して変位するとともに、先頭のロックギヤ５が前部ブッシュ３０の後端部により押され、これと連なった他のロックギヤ５も押されることにより、全てのロックギヤ５が一斉にアクチュエータ２に対して反対方向へ変位する。これにより、各ロックギヤ５が各ダイヤル４と噛み合って係わり合い、解錠符号列が記憶される（図１１および図１２に示す。）。それ以後は、前部ブッシュ３０および作動軸３はアクチュエータ２側へ変位することなく、各ダイヤル４と各ロックギヤ５とが噛み合った状態が維持されるため、解錠符号列の記憶が保持され、「固定符号タイプ」に設定される（図２６（４）に示す。）。
【００４９】
次に、図１１，図１２，図２６（４）に示す「固定符号タイプ」の「開状態」において、切換シャフト８０と駆動筒８２とを一体に１８０度回動させると、押圧部材８７がアクチュエータ２の方向に変位する。これにより前部ブッシュ３０は押圧部材８７による押圧力より解放されるので、作動軸３は前部ブッシュ３０とともに圧縮バネ３６のバネ力により押されてアクチュエータ２の側へ変位する。作動軸３がアクチュエータ２側へ変位すると、各ロックギヤ５は、その後端部が作動軸３の各仕切板３２〜３５によりそれぞれ押されることにより、アクチュエータ２の側へ一斉に変位し、各ダイヤル４から離れて各ダイヤル４との噛み合いが外れるため、解錠符号列の記億の保持が解除され、「自由符号タイプ」に設定される。
【００５０】
（６）ロック機構９の構成
ロック機構９は、各窓孔１４に現れる各ダイヤル４の符号４３がすべて解錠符号であるとき（解錠符号列が揃ったとき）、施錠および解錠の各操作に伴うアクチュエータ２の回動を許容し、いずれかダイヤル４の符号４３が解錠符号でないとき（解錠符号列が崩れているとき）、アクチュエータ２の回動を規制するものである。
この実施例のロック機構９は、各ロックギヤ５の外周面に形成された凹部５２と、図３３に示す形状のロックプレート９０と、アクチュエータ２の筒状体２１の外筒２１ｂの外周面の２箇所に形成された係合部２５，２６とで構成されている。
【００５１】
ロックプレート９０は、全てのダイヤル４について窓孔１４に解錠符号が出現する回動角度位置にあるかどうかを検出するための４個の検出片９１と、これらの検出片９１によって全てのダイヤル４が窓孔１４に解錠符号が出現する角度位置にあることが検出されないとき、すなわち、解錠符号列が揃っていないとき、施錠および解錠の各操作に伴うアクチュエータ２の回動を規制する規制片９２とを含んでいる。
【００５２】
前記の各検出片９１は、前記作動軸３と平行な回動軸９３に各ロックギヤ５と対応させて設けられている。各ロックギヤ５の凹部５２は、ロックギヤ５がダイヤル４から離れて係わりが切れている状態においては常に同じ回動角度位置に定位しているので、ダイヤル４とロックギヤ５とを噛み合わせて係合させることにより設定される解錠符号が窓孔１４に出現する状態においても同じ回動角度位置に位置する。従って、全てのダイヤル４が窓孔１４に解錠符号が出現する回動角度位置にあると、図３４に示すように、全ての検出片９１の先端部９１ａが各ロックギヤ５の凹部５２に嵌り込み、回動軸９３が矢印ｐで示す方向に回動した状態、すなわち、解錠符号列の検出状態となる。
【００５３】
一方、いずれかのダイヤル４が窓孔１４に解錠符号以外の符号が出現する回動角度位置にあるときには、図３５に示すように、そのダイヤル４と噛み合うロックギヤ５の凹部５２に検出片９１の先端部９１ａが嵌り込まず、ロックギヤ５の外周面に乗り上がる。その結果、他のダイヤル４のロックギヤ５についても凹部５２に検出片９１の先端部９１ａが嵌り込まず外周面に乗り上がるので、回動軸９３が矢印ｑで示す方向に回動した状態、すなわち、解錠符号列の未検出状態となる。
【００５４】
前記回動軸９３は、両端部が回動自由に支持されており、回動軸９３の一端部は、アクチュエータ２が装備された空間Ａ内に突出し、その突出端に規制片９２が設けられている。この規制片９２とアクチュエータ２の外筒２１ｂの２箇所に形成された係合部２５，２６とでアクチュエータ２の回動を規制する機構が形成されている。前記規制片９２は回動軸９３の正逆回動によりいずれかの係合部２５，２６と係脱する。
【００５５】
前記規制片９２は、図３３〜図３５に示すように、その一端部に係合山部９４Ａ，９４Ｂおよび係合谷部９４Ｃを有している。一方、外筒２１ｂの外周面の各係合部２５，２６は、前記係合山部９４Ａ，９４Ｂおよび係合谷部９４Ｃに対応する位置に谷部２５Ａ，２５Ｂ，２６Ａ，２６Ｂおよび山部２５Ｃ，２６Ｃが形成してあり（図４，図３４，図３５に示す。）、規制片９２の係合山部９４Ａ，９４Ｂおよび係合谷部９４Ｃがいずれかの係合部２５，２６の谷部２５Ａ，２５Ｂ，２６Ａ，２６Ｂおよび山部２５Ｃ，２６Ｃと係合すると、アクチュエータ２の回動が規制される。
【００５６】
「自由符号タイプ」の「閉状態」のとき、および「固定符号タイプ」の「開状態」または「閉状態」のとき、解錠符号が４個並んだ状態（解錠符号列が揃った状態）にあれば、各ロックギヤ５の凹部５２が全て決められた同じ角度位置に位置し、全ての検出片９１の先端部９１ａが対応するロックギヤ５の凹部５２に嵌り込むので、回動軸９３が所定の方向に回動変位した状態にあり、規制片９２はいずれの係合部２５，２６とも係合しない（図７および図１１，図１３参照）。これによりアクチュエータ２の作動規制が解除され、施錠操作や解錠操作が可能となる。
【００５７】
これに対して、解錠符号が４個並んでいない状態（解錠符号列が揃っていない状態）にあれば、いずれの検出片９１の先端部９１ａもロックギヤ５の凹部６７に嵌り込まず、ロックギヤ５の外周面に乗り上がるので、回動軸９３が前記とは逆方向に回動変位した状態にあり、規制片６８はいずれかの係合部２５，２６に係合する（図９および図１５参照）。これによりアクチュエータ２の作動が規制されて施錠操作や解錠操作が困難となる。
【００５８】
なお、「自由符号タイプ」の「開状態」のときは、ロックギヤ５はダイヤル４から離れて係わりが切れており、全てのロックギヤ５の凹部５２は決められた同じ角度位置に常に位置しているので、全ての検出片９１の先端部９１ａが対応するロックギヤ５の凹部５２に嵌り込んだ状態にあり、規制片９２は係合部２５と係合せず、アクチュエータ２の作動規制は解除されている（図３参照）。
【００５９】
つぎに上記した構成の符号錠装置について、図面の図３〜図１６に従って施錠操作時および解錠操作時の一連の動作を詳細に説明する。
【００６０】
まず、「自由符号タイプ」における施錠操作時の動作について説明すると、符号錠装置が図３および図４に示された「開状態」にあるとき、作動軸３は、先端部の前部ブッシュ３０が外筒２１ｂの凹面２３に嵌まってアクチュエータ２の側へ変位した状態にある。この状態では、作動軸３上の各ダイヤル４は各ロックギヤ５との係わりが切れた回動自由な状態にあり、解錠符号を自在に設定することが可能である。
【００６１】
この状態においては、全てのロックギヤ５の凹部５２が決められた同じ角度位置にあり、ロック機構９の全ての検出片９１の先端部９１ａが前記凹部５２と係合するので、回動軸９３が所定の方向に回動した状態にあり、規制片９２と係合部２５との係合が外れ、符号錠装置は施錠操作が可能な状態に設定される。
【００６２】
各ダイヤル４を回動操作して任意の解錠符号列（例えば、「１１１１」）を設定した後、撮み２０を回動操作すると、アクチュエータ２の筒状体２１が回動し、前部ブッシュ３０が筒状体２１の外筒２１ｂの外周面の凸面２４に乗り上がり、作動軸３がアクチュエータ２に対して反対方向に移動する結果、各ロックギヤ５が各ダイヤル４と噛み合い、解錠符号列が記憶される（図７および図８参照）。この段階で各ロックギヤ５と各ダイヤル４とは一体回動が可能な状態になっている。
【００６３】
その後、各ダイヤル４の回動操作により解錠符号列を適当に崩すと、ロック機構９の全ての検出片９１の先端部９１ａと前記凹部５２との係合が外れ、回動軸９３が所定の方向に回動した状態になるので、規制片９２が係合部２６に係合し（図９参照）、解錠操作に伴うアクチュエータ２の回動が規制されて、施錠状態になる。
【００６４】
次に、解錠操作時の動作について説明すると、まず、各ダイヤル４を回動操作して前記の解錠符号列（「１１１１」）を揃えると、全てのロックギヤ５の凹部５２が決められた同じ角度位置に来るので、ロック機構９の全ての検出片９１の先端部９１ａが前記凹部５２と係合し、回動軸９３の回動に伴って規制片９３と係合部２６との係合が外れ（図７参照）、解錠操作に伴うアクチュエータ２の回動が許容されるため、符号錠装置は解錠操作が可能な状態に設定される。
【００６５】
次に、撮み２０を前記とは逆方向へ回動操作すると、アクチュエータ２の筒状体２１が回動し、前部ブッシュ３０が筒状体２１の外筒２１ｂの凹面２３に嵌まって作動軸３が圧縮バネ３６のバネ力によりアクチュエータ２の側へ移動する結果、各ロックギヤ５と各ダイヤル４との噛み合いが外れ、解錠符号列の記憶が解除される（図３および図４参照）。このとき、各ダイヤル４は単独で回動が可能な状態、すなわち、解錠符号の設定が可能な状態になっている。
【００６６】
上記した解錠符号の設定が可能な状態において、切換つまみ８８の操作溝８１にドライバーなどを係入し、切換シャフト８０を押し込んだ状態で１８０度（図２の回転防止用の突起８４を「自由」から「固定」へ）一体回動させると、「固定符号タイプ」に切り換わる。
この「固定符号タイプ」では、駆動筒８２の押圧部材８７がアクチュエータ２に対して反対方向に変位し、前部ブッシュ３０の当たり面３９を押して作動軸３をアクチュエータ２に対して反対方向へ強制移動させる（図１２参照）。作動軸３がアクチュエータ２に対して反対方向に移動する結果、全てのロックギヤ５が一斉にアクチュエータ２に対して反対方向へ変位し、各ダイヤル４と噛み合って係わり合い、解錠符号列が記憶される。それ以後は、解錠操作があっても作動軸３が往復移動することなく、各ダイヤル４と各ロックギヤ５とが噛み合った状態が維持されるため、解錠符号列の記憶が保持される。
【００６７】
次に、「固定符号タイプ」における施錠操作時の動作について説明する。符号錠装置が図１１および図１２に示された「開状態」にあるとき、各ダイヤル４のダイヤル操作面４２を回動操作して、定められた解錠符号列を整列させると、全てのロックギヤ５の凹部５２が決められた同じ角度位置に来るので、ロック機構９の全ての検出片９１の先端部９１ａが前記凹部５２と係合し、回動軸９３の回動により規制片９３と係合溝２５との係合が外れる（図１１参照）。これにより施錠操作に伴うアクチュエータ２の回動が許容されるため、符号錠装置は施錠操作が可能な状態に設定される。
【００６８】
次に、撮み２０を回動操作した後、各ダイヤル４の回動操作により解錠符号列を適当に崩すと、ロック機構９の全ての検出片９１の先端部９１ａと対応するロックギヤ５の凹部５２との係合が外れるので、回動軸９３が所定の方向に回動して規制片９２が係合部２６に係合し（図１５参照）、解錠操作に伴うアクチュエータ２の回動が規制されて、施錠状態になる。
【００６９】
次に、解錠操作時の動作について説明すると、符号錠装置が図１５および図１６に示された「施錠状態」にあるとき、各ダイヤル４のダイヤル操作面４２を回動操作して、解錠符号列を整列させると、全てのロックギヤ５の凹部５２が決められた同じ角度位置に来るので、ロック機構９の全ての検出片９１の先端部９１ａが対応するロックギヤ５の凹部５２と係合し、回動軸９３が回動して規制片９３と係合部２６との係合が外れ（図１３参照）、解錠操作に伴うアクチュエータ２の回動が許容されるため、符号錠装置は解錠操作が可能な状態に設定される。
【００７０】
撮み２０を前記とは逆方向へ回動操作すると、掛止片１が受け金具１０より外れた「開状態」となるが、前部ブッシュ３０および作動軸３はアクチュエータ２の側へ移動することはなく、各ロックギヤ５と各ダイヤル４との噛み合いが維持されるので、解錠操作があっても解錠符号列が記憶されたままの状態に保持される（図１１および図１２参照）。
【００７１】
上記した構成の符号錠装置によれば、解錠符号列を自由に設定できる「自由符号タイプ」の符号錠装置を、解錠符号列が固定的に設定される「固定符号タイプ」に切り換えることができるから、特定人の使用や不特定人の使用など、用途に応じた使い分けをすることができ、利便性が大幅に向上する。また、両方のタイプの符号錠装置を別々に製作して在庫する必要がないので、在庫管理が容易である。さらに、切換シャフト８０の回動操作によって、「自由符号タイプ」と「固定符号タイプ」とを切換可能としたから、内部構造の複雑化と大型化とを招くおそれもない。
【図面の簡単な説明】
【００７２】
【図１】この発明の実施例である符号錠装置の外観を示す平面図である。
【図２】図１の実施例の底面図である。
【図３】符号錠装置の内部構造を自由符号タイプの開状態時の状態で示す平面より見た断面図である。
【図４】符号錠装置の内部構造を示す図３のａ方向より見た縦断面図である。
【図５】符号錠装置の内部構造を自由符号タイプの施錠操作時の状態で示す平面より見た断面図である。
【図６】符号錠装置の内部構造を示す図５のａ方向より見た縦断面図である。
【図７】符号錠装置の内部構造を自由符号タイプの閉状態時の状態で示す平面より見た断面図である。
【図８】符号錠装置の内部構造を示す図７のａ方向より見た縦断面図である。
【図９】符号錠装置の内部構造を自由符号タイプの施錠状態時の状態で示す平面より見た断面図である。
【図１０】符号錠装置の内部構造を示す図９のａ方向より見た縦断面図である。
【図１１】符号錠装置の内部構造を固定符号タイプの開状態時の状態で示す平面より見た断面図である。
【図１２】符号錠装置の内部構造を示す図１１のａ方向より見た縦断面図である。
【図１３】符号錠装置の内部構造を固定符号タイプの閉状態時の状態で示す平面より見た断面図である。
【図１４】符号錠装置の内部構造を示す図１３のａ方向より見た縦断面図である。
【図１５】符号錠装置の内部構造を固定符号タイプの施錠状態時の状態で示す平面より見た断面図である。
【図１６】符号錠装置の内部構造を示す図１５のａ方向より見た縦断面図である。
【図１７】前部ブッシュの構成を示す縦断面図である。
【図１８】図１７のＡ−Ａ線に沿う断面図である。
【図１９】ダイヤルの一方の側面図である。
【図２０】ダイヤルの他方の側面図である。
【図２１】ダイヤルの正面図である。
【図２２】ロックギヤの一方の側面図である。
【図２３】ロックギヤの他方の側面図である。
【図２４】ロックギヤの正面図である。
【図２５】図２２のＢ−Ｂ線に沿うロックギヤの断面図である。
【図２６】切換機構の動作を示す説明図である。
【図２７】切換シャフトの構成を示す平面図である。
【図２８】切換シャフトの構成を示す側面図である。
【図２９】切換シャフトの構成を示す底面図である。
【図３０】駆動筒の構成を示す平面図である。
【図３１】駆動筒の構成を示す側面図である。
【図３２】駆動筒の構成を示す底面図である。
【図３３】ロックプレートの正面図である。
【図３４】ロック機構の動作を示す説明図である。
【図３５】ロック機構の動作を示す説明図である。
【符号の説明】
【００７３】
２    アクチュエータ
３    作動軸
４    ダイヤル
５    ロックギヤ
６    往復動機構
７    解錠符号列の一時記憶機構
８    切換機構
９    ロック機構
２１  筒状体
２１ａ  内筒
２１ｂ  外筒
２３  凹面
２４  凸面
３０  前部ブッシュ
３６  圧縮バネ
３９  当たり面
８０  切換シャフト
８１  操作溝
８２  駆動筒
８７  押圧部材
８８  切換つまみ
９０  ロックプレート
【図１】
2008190214.tif 000003
【図２】
2008190214.tif 000004
【図３】
2008190214.tif 000005
【図４】
2008190214.tif 000006
【図５】
2008190214.tif 000007
【図６】
2008190214.tif 000008
【図７】
2008190214.tif 000009
【図８】
2008190214.tif 000010
【図９】
2008190214.tif 000011
【図１０】
2008190214.tif 000012
【図１１】
2008190214.tif 000013
【図１２】
2008190214.tif 000014
【図１３】
2008190214.tif 000015
【図１４】
2008190214.tif 000016
【図１５】
2008190214.tif 000017
【図１６】
2008190214.tif 000018
【図１７】
2008190214.tif 000019
【図１８】
2008190214.tif 000020
【図１９】
2008190214.tif 000021
【図２０】
2008190214.tif 000022
【図２１】
2008190214.tif 000023
【図２２】
2008190214.tif 000024
【図２３】
2008190214.tif 000025
【図２４】
2008190214.tif 000026
【図２５】
2008190214.tif 000027
【図２６】
2008190214.tif 000028
【図２７】
2008190214.tif 000029
【図２８】
2008190214.tif 000030
【図２９】
2008190214.tif 000031
【図３０】
2008190214.tif 000032
【図３１】
2008190214.tif 000033
【図３２】
2008190214.tif 000034
【図３３】
2008190214.tif 000035
【図３４】
2008190214.tif 000036
【図３５】
2008190214.tif 000037